(57)【要約】【課題】視野角の違いによって発生する色ずれを抑制することができる発光装置及び電子機器を提供する。【解決手段】光透過性を有する陽極と半透過反射性を有する陰極との間に挟持された発光層と、該発光層を挟んで陰極に対向配置された金属反射板と、を有する複数の発光素子を備え、金属反射板と陰極との間で、複数の発光層から射出された光を共振させる光共振器構造が構成された発光装置において、複数の発光素子には、光共振器構造における共振波長の異なる複数の発光素子が含まれ、複数の発光層から射出される光のうち、赤色光を発光する発光素子の視野角０°における金属反射板と陰極との間の光学的距離が、最適な共振波長の条件よりも長くなるように設定されていることを特徴とする。【選択図】図９
2009170127.tif 000002
【特許請求の範囲】
【請求項１】
基板上に光透過性を有する第１電極と半透過反射性を有する第２電極との間に挟持された発光層と、
前記第１電極を挟んで前記発光層の反対側に配置された光反射層と、を有する複数の発光素子を備え、
前記光反射層と前記第２電極との間で、前記発光層から射出された光を共振させる光共振器構造が構成された発光装置において、
前記複数の発光素子には、前記光共振器構造における共振波長の異なる複数の発光素子が含まれ、該複数の発光素子から射出される光のうち、少なくとも１つの色の光を発光する発光素子の前記基板の法線方向における前記光反射層と前記第２電極との間の光学的距離が、前記発光層から射出された光が前記第１電極または前記第２電極で反射する際に生じる位相シフトをΦ、前記発光層から射出される光のうち取り出したい光のスペクトルのピーク波長をλ、整数ｍとすると、λ（ｍ−Φ／２π）／２よりも長くなるように設定されていることを特徴とする発光装置。
【請求項２】
赤色光を発光する前記発光素子の前記基板の法線方向における前記光反射層と前記第２電極との間の光学的距離が、最適な共振波長の条件より長く設定されていることを特徴とする請求項１記載の発光装置。
【請求項３】
緑色光を発光する前記発光素子の前記基板の法線方向における前記光反射層と前記第２電極との間の光学的距離が、最適な共振波長の条件より長く設定されていることを特徴とする請求項１または請求項２記載の発光装置。
【請求項４】
前記共振波長は、前記第１電極の膜厚によって調整されていることを特徴とする請求項１ないし請求項３の何れか１項に記載の発光装置。
【請求項５】
前記第２電極を挟んで前記発光層の反対側に、前記共振波長に対応した波長の光を透過する着色層が配置されていることを特徴とする請求項１ないし請求項４のいずれか１項に記載の発光装置。
【請求項６】
請求項１から請求項５のいずれか１項に記載の発光装置を備えたことを特徴とする電子機器。
【発明の詳細な説明】
【技術分野】
【０００１】
本発明は、発光装置及び電子機器に関するものである。
【背景技術】
【０００２】
近年、情報機器の多様化等に伴い、消費電力が少なく軽量化された発光装置のニーズが高まっている。この様な発光装置の一つとして、有機エレクトロルミネッセンス装置（以下、「有機ＥＬ装置」という）が知られている。このような有機ＥＬ装置は、陽極（第１電極）と陰極（第２電極）との間に発光層を有する発光素子を備えたものが一般的である。さらに、正孔注入性や電子注入性を向上させるために、陽極と発光層との間に正孔注入・輸送層を配置した構成や、発光層と陰極との間に電子注入層やホールブロック層を配置した構成が提案されている。
【０００３】
ところで、上述した有機ＥＬ装置は、発光層から取り出される光のスペクトルのピーク幅が広く、発光輝度も小さいため、表示装置に適用した場合に、十分な色再現性が得られないという問題があった。そこで、基板と陽極との間に形成された光反射層と、発光層の射出側に形成された半透過反射性を有する陰極と、を備え、光反射層と陰極との間で、発光層から射出された光を共振させる光共振構造を設ける構造が提案されている。
この構成によれば、発光層から射出された光は、光反射層と陰極との間で往復し、その光学的距離に対応した共振波長の光だけが増幅されて取り出される。このため、輝度特性が高く、スペクトル幅が狭いシャープな光を取り出すことができるとされている。
【０００４】
しかしながら、上述した光共振器構造を採用した有機ＥＬ装置にあっては、スペクトル幅が狭くなると、表示面を斜めから見た場合、つまり視野角が大きくなるにつれ光の波長が低波長側にシフトしたり、発光輝度が低下したりする等、発光特性の視野角依存性が高いという問題がある。
そこで、例えば特許文献１に示すように、発光層から射出された光の光学的距離を最適化することで、ある程度のスペクトル幅を有するように共振させる構成が開示されている。
【特許文献１】国際公開第０１／０３９５５４号パンフレット
【発明の開示】
【発明が解決しようとする課題】
【０００５】
近年、有機ＥＬ装置の高品質化に伴い、視野角特性の更なる向上が要求されている。
図１０は、従来における発光輝度の視野角特性を示すグラフである。なお、図１０において、上半部における縦軸の０°が視聴者の視覚方向の正面（表示面の法線方向）、つまり視野角０°を示している。また、発光輝度は視野角０°の位置での発光輝度を１００％とした場合における割合で示しており、中心Ｏを０％、最外周を１００％として同心円上に示している。
図１０に示すように、上記従来技術にあっては、赤色光Ｒ、緑色光Ｇ、青色光Ｂの各色ともに視野角０°の位置で発光輝度が最大となるように光学的距離が最適化されており、視野角０°において、最適な白色光Ｗが射出されるようになっている。そして、視野角が大きくなるにつれ、各色Ｒ，Ｇ，Ｂともに発光輝度が減衰している。つまり、視野角が大きくなるにつれ、光学的距離が最適条件からずれて長くなり、取り出したい光が最適な共振波長の条件で射出されなくなる。これにより、取り出される光のスペクトルのピーク波長が低波長側にシフトする。
【０００６】
図１１は、従来における色度の視野角特性を示す色度図であり、図中実線は、視野角が０°〜８０°まで変化した場合におけるスペクトルのピーク波長の変化を示している。
図１１に示すように、上記従来技術にあっては、赤色光、緑色光、青色光の各色ともに視野角０°の位置（図１１中符号Ｒ１’，Ｇ１’，Ｂ１’）において、最適な色度で射出されるように設定され、白色光（図１１中符号Ｗ１’）が表示されるようになっている。しかしながら、上述したように視野角が大きくなるにつれ、各色のピーク波長が最適条件からずれて低波長側にシフトすると（図１１中符号Ｒ２’，Ｇ２’，Ｂ２’）、これに伴い全体的な色ずれが生じるという問題がある。つまり、視野角０°の位置では白色光が表示されるのに対して、視野角が大きくなるにつれて青色側（低波長側）にシフトし、表示が青く見えてしまう（図１１中符号Ｗ２’）。
【０００７】
そこで、本発明は上記課題を解決するためになされたものであって、視野角の違いによって発生する色ずれを抑制することができる発光装置及び電子機器を提供することを目的とする。
【課題を解決するための手段】
【０００８】
上記目的を達成するため、本発明に係る発光装置は、基板上に光透過性を有する第１電極と半透過反射性を有する第２電極との間に挟持された発光層と、前記第１電極を挟んで前記発光層の反対側に配置された光反射層と、を有する複数の発光素子を備え、前記光反射層と前記第２電極との間で、前記発光層から射出された光を共振させる光共振器構造が構成された発光装置において、前記複数の発光素子には、前記光共振器構造における共振波長の異なる複数の発光素子が含まれ、該複数の発光素子から射出される光のうち、少なくとも１つの色の光を発光する発光素子の前記基板の法線方向における前記光反射層と前記第２電極との間の光学的距離が、前記発光層から射出された光が前記第１電極または前記第２電極で反射する際に生じる位相シフトをΦ、前記発光層から射出される光のうち取り出したい光のスペクトルのピーク波長をλ、整数ｍとすると、λ（ｍ−Φ／２π）／２よりも長くなるように設定されていることを特徴とする。
この構成によれば、光共振器構造における共振波長の異なる複数の発光素子が含まれているため、例えば、赤（Ｒ），緑（Ｇ），青（Ｂ）の各色に対応する共振波長を有する発光素子を形成することで、フルカラー表示が可能な発光装置を提供することができる。
そして、少なくとも１つの色の発光素子の基板の法線方向における光反射層と第２電極との間の光学的距離を、最適な共振波長の条件より長くなるように設定することで、少なくとも１つの色の発光素子は表示面の正面からずれた位置、つまり表示面を斜め方向から見た場合に最適な共振波長の条件で射出される。これにより、表示面を斜め方向から見た場合において、少なくとも１つの色の発光素子は他の色の発光素子に比べて、最適な共振波長の条件から低波長側へシフトするシフト量が小さい。そのため、少なくとも１つの色の発光素子によって、他の色の発光素子の色ずれを補うことになり、全体的な色ずれを抑制することができる。したがって、視野角の違いにより発生する色ずれを抑制することができる。
【０００９】
また、赤色光を発光する前記発光素子の前記基板の法線方向における前記光反射層と前記第２電極との間の光学的距離が、最適な共振波長条件より長く設定されていることを特徴とする。
この構成によれば、赤色光の光学的距離を最適な共振波長の条件より長く設定することで、赤色光より波長の短い青色光及び緑色光が最適な共振波長の条件から低波長側にシフトしても、赤色光によって他の色の発光素子の色ずれを補うことになり、全体的な色ずれを抑制することができる。したがって、視野角の違いにより発生する色ずれを抑制することができる。
【００１０】
また、緑色光を発光する前記発光素子の前記基板の法線方向における前記光反射層と前記第２電極との間の光学的距離が、最適な共振波長の条件より長く設定されていることを特徴とする。
この構成によれば、緑色光の光学的距離を最適な共振波長の条件よりも長く設定することで、緑色光によって全体が低波長側にシフトすることを抑制することができる。したがって、視野角の違いにより発生する色ずれを抑制することができる。
【００１１】
また、前記共振波長は、前記第１電極の膜厚によって調整されていることを特徴とする。
この構成によれば、第１電極の膜厚を厚くすることで、少なくとも１つの色の光学的距離を容易に長く設定することができる。
【００１２】
また、前記第２電極を挟んで前記発光層の反対側に、前記共振波長に対応した波長の光を透過する着色層が配置されていることを特徴とする。
この構成によれば、光共振構造から出力された光のうちカラーフィルタを透過した光のみが取り出されるため、より色再現性のよい発光装置を提供することができる。
【００１３】
一方、本発明に係る電子機器は、上記発光装置を備えたことを特徴とする。
この構成によれば、上述した発光装置を備えているため、視野角の違いによって発生する色ずれを抑制した高性能な電子機器を提供することができる。
【発明を実施するための最良の形態】
【００１４】
以下、本発明の実施形態につき、図面を参照して説明する。なお、本実施形態は、本発明の一部の態様を示すものであり、本発明を限定するものではなく、本発明の技術的思想の範囲内で任意に変更可能である。また、以下に示す各図においては、各層や各部材を図面上で認識可能な程度の大きさとするため、各層や各部材ごとに縮尺を異ならせてある。
【００１５】
（有機ＥＬ装置）
図１は、本実施形態の有機ＥＬ装置の配線構造を示す模式図であり、図１において符号１は有機ＥＬ装置である。
この有機ＥＬ装置１は、スイッチング素子として薄膜トランジスタ（Ｔｈｉｎ  Ｆｉｌｍ  Ｔｒａｎｓｉｓｔｏｒ、以下ＴＦＴと称する。）を用いたアクティブマトリクス方式のもので、複数の走査線１０１…と、各走査線１０１に対して直角に交差する方向に延びる複数の信号線１０２…と、各信号線１０２に並列に延びる複数の電源線１０３…とからなる配線構成を有し、走査線１０１…と信号線１０２…との各交点付近に画素領域（単位画素領域）Ｘ…を形成したものである。
もちろん本発明の技術的思想に沿えば、ＴＦＴなどを用いるアクティブマトリクスは必須ではなく、単純マトリクス向けの素子基板を用いて本発明を実施し、単純マトリクス駆動しても全く同じ効果が低コストで得られる。
【００１６】
信号線１０２には、シフトレジスタ、レベルシフタ、ビデオライン及びアナログスイッチを備えるデータ線駆動回路１００が接続されている。また、走査線１０１には、シフトレジスタ及びレベルシフタを備える走査線駆動回路８０が接続されている。
【００１７】
さらに、画素領域Ｘの各々には、走査線１０１を介して走査信号がゲート電極に供給されるスイッチング用ＴＦＴ（スイッチング素子）１１２と、このスイッチング用ＴＦＴ１１２を介して信号線１０２から共有される画素信号を保持する保持容量１１３と、該保持容量１１３によって保持された画素信号がゲート電極に供給される駆動用ＴＦＴ（スイッチング素子）１２３と、この駆動用ＴＦＴ１２３を介して電源線１０３に電気的に接続したときに該電源線１０３から駆動電流が流れ込む陽極１０と、該陽極１０と陰極１１との間に挟み込まれた発光層４０が設けられている。
【００１８】
この有機ＥＬ装置１によれば、走査線１０１が駆動されてスイッチング用ＴＦＴ１１２がオン状態になると、そのときの信号線１０２の電位が保持容量１１３に保持され、該保持容量１１３の状態に応じて、駆動用ＴＦＴ１２３のオン・オフ状態が決まる。そして、駆動用ＴＦＴ１２３のチャネルを介して、電源線１０３から陽極１０に電流が流れ、さらに発光層４０を介して陰極１１に電流が流れる。発光層４０は、これを流れる電流量に応じて発光する。
【００１９】
次に、本実施形態の有機ＥＬ装置の具体的な態様を、図２〜図１１を参照して説明する。ここで、図２は有機ＥＬ装置の構成を模式的に示す平面図である。図３は有機ＥＬ装置を模式的に示す断面図である。
【００２０】
まず、図２を参照し、有機ＥＬ装置１の構成を説明する。
図２は、基板本体２０上に形成された前述した各種配線，ＴＦＴ，各種回路によって、発光層４０を発光させるＴＦＴ素子基板（以下「素子基板」という。）２０Ａを示す図である。
有機ＥＬ装置の素子基板２０Ａは、中央部分の実表示領域４（図２中二点鎖線枠内）と、実表示領域４の周囲に配置されたダミー領域５（一点鎖線および二点鎖線の間の領域）とを備えている。
【００２１】
図１に示す画素領域Ｘからは、赤色光（Ｒ）、緑色光（Ｇ）または青色光（Ｂ）のいずれかの光が取り出され、図２に示す表示領域ＲＧＢが形成されている。実表示領域４においては、表示領域ＲＧＢがマトリクス状に配置されている。また、表示領域ＲＧＢの各々は、紙面縦方向において同一色で配列しており、いわゆるストライプ配置を構成している。そして、表示領域ＲＧＢが一つのまとまりとなって、表示単位画素が構成されており、該表示単位画素はＲＧＢの発光を混色させてフルカラー表示を行うようになっている。
【００２２】
実表示領域４の図２中両側であってダミー領域５の下層側には、走査線駆動回路８０、８０が配置されている。また、実表示領域４の図２中上方側であってダミー領域５の下層側には、検査回路９０が配置されている。この検査回路９０は、有機ＥＬ装置１の作動状況を検査するための回路であって、例えば検査結果を外部に出力する検査情報出力手段（不図示）を備え、製造途中や出荷時における有機ＥＬ装置１の品質、欠陥の検査を行うことができるように構成されている。
【００２３】
図３に示すように、本実施形態における有機ＥＬ装置１は、いわゆる「トップエミッション構造」の有機ＥＬ装置である。この有機ＥＬ装置１は、素子基板２０Ａ上に陽極１０と陰極１１の間に有機機能層１２が挟持された複数の発光素子２１と、発光素子２１を画素領域ＸＲ、ＸＧ，ＸＢ毎に区切る画素隔壁１３と、素子基板２０Ａに対向配置された封止基板３１と、を備えている。この有機ＥＬ装置１は、素子基板２０Ａの対向側である封止基板３１側から発光光を取り出す構成であるため、素子基板２０Ａの材料としては、透明基板及び不透明基板のいずれも用いることができる。不透明基板としては、例えば、アルミナ等のセラミックス、ステンレススチール等の金属シートに表面酸化などの絶縁処理を施したものの他に、熱硬化性樹脂、熱可塑性樹脂などが挙げられる。
【００２４】
素子基板２０Ａ上には、窒化珪素等からなる無機絶縁層１４が形成されている。
無機絶縁層１４上にはアルミ合金等からなる金属反射板（光反射層）１５が内装された平坦化層１６が形成されている。この平坦化層１６は、アクリル系やポリイミド系等の、耐熱性絶縁性樹脂などによって形成されたもので、駆動用ＴＦＴ１２３等による表面の凹凸をなくすために形成されている。
【００２５】
平坦化層１６上には、陽極１０が形成されている。この陽極１０は、酸化物系透明導電材料によって形成され、具体的にはＩＴＯ（Ｉｎｄｉｕｍ  Ｔｉｎ  Ｏｘｉｄｅ：インジウム錫酸化物）が好適に用いられている。陽極１０は、各発光素子２１に対応して形成されており、その一端側が無機絶縁層１４に形成されたコンタクトホール（不図示）を介して駆動用ＴＦＴ１２３に接続されている。
【００２６】
陽極１０上には、画素隔壁１３が形成されている。この画素隔壁１３は、陽極１０上に開口部を有し、複数の発光素子２１を独立させて区分するものである。つまり、画素隔壁１３に囲まれた領域が発光素子２１の画素領域Ｘ（図１参照）となっており、これらは赤色光、青色光、緑色光のそれぞれの光が封止基板３１側から取り出される画素領域ＸＲ、ＸＧ，ＸＢとして割り当てられている。なお、画素隔壁１３を形成する材料として、例えばポリイミド、アクリル等の絶縁性を有する有機物を用いることができる。なお、画素隔壁１３を形成する材料として、無機物と有機物とを組み合わせたものであってもよい。
【００２７】
発光素子２１は、正孔注入・輸送層３０と発光層４０とを備えている。
正孔注入・輸送層３０は、陽極１０の正孔を発光層４０に注入・輸送するためのものであり、素子基板２０Ａ上に各画素隔壁１３を跨いで形成されている。正孔注入・輸送層３０の形成する材料としては、特に３，４−ポリエチレンジオキシチオフェン／ポリスチレンスルフォン酸（ＰＥＤＯＴ／ＰＳＳ）の水分散液が好適に用いられる。なお、正孔注入・輸送層３０の形成材料としては、上述のものに限定されることなく種々のものが使用可能である。例えば、ポリスチレン、ポリピロール、ポリアニリン、ポリアセチレンやその誘導体などを、適宜な分散媒、例えば前記のポリスチレンスルフォン酸に分散させたものなどが使用可能である。
【００２８】
発光層４０は、陰極１１から注入される電子と正孔注入・輸送層３０から注入される正孔とが結合して所定波長の光が射出される部分であり、正孔注入・輸送層３０上の全域に亘って形成されている。発光層４０は、赤色、緑色、青色を発光する発光材料が積層されて白色に発光する白色発光層を採用している。このような発光層４０の構成材料として、例えばポリフルオレン誘導体（ＰＦ）やポリパラフェニレンビニレン誘導体（ＰＰＶ）、ポリパラフェニレン誘導体（ＰＰＰ）、ポリビニカルバゾール（ＰＶＫ）、ポリチオフェン誘導体、ポリメチルフェニルシラン（ＰＭＰＳ）などのポリシラン系などの高分子有機材料を用いることができる。また、上記高分子有機材料に、例えばペリレン系色素や、クマリン系色素、ローダミン系色素、ルブレン、９，１０−ジフェニルアントラセン、テトラフェニルブタジエン、ナイルレッド、キナクリドンなどの低分子有機材料をドープしたものを用いてもよい。なお、発光層４０の上層に、電子輸送層やホールブロック層を形成することが好ましい。
【００２９】
陰極１１は、発光層４０から発光した光の一部を透過し、残りの光の一部又は全部を金属反射板１５側に反射する半透過反射性を有しており、画素隔壁１３及び発光層４０を覆うように形成されている（図４中矢印参照）。一般に、上述したＩＴＯ等の透光性導電膜は、大気層との界面で１０％程度の反射率を有しており、特段の工夫を施さなければ、このような透光性導電膜を用いた陰極１１は、上記のような半透過反射性を有するものとなっている。
【００３０】
陰極１１上には、有機緩衝層１８が形成されている。画素隔壁１３の形状の影響により、凹凸状に形成された陰極１１の凹凸部分を埋めるように配置され、さらに、その上面は略平坦に形成されている。有機緩衝層１８は、素子基板２０Ａの反りや体積膨張により発生する応力を緩和し、不安定な形状の画素隔壁１３からの陰極１１の剥離を防止する機能を有する。また、有機緩衝層１８の上面が略平坦化されるので、有機緩衝層１８上に形成される硬い被膜からなる後述するガスバリア層１９も平坦化される。したがって、応力が集中する部位がなくなり、これにより、ガスバリア層１９でのクラックの発生を防止することができる。
【００３１】
有機緩衝層１８上には、有機緩衝層１８を覆うようにガスバリア層１９が形成されている。ガスバリア層１９は、酸素や水分が浸入するのを防止するためのもので、これにより酸素や水分による発光素子２１の劣化等を抑えることができる。ガスバリア層１９の材質は、透明性、ガスバリア性、耐水性を考慮して、好ましくは窒素を含む珪素化合物、すなわち珪素窒化物や珪素酸窒化物などによって形成される。
【００３２】
ガスバリア層１９上には、ガスバリア層１９を覆うようにシール層２２が形成されている。シール層２２は、ガスバリア層１９上に封止基板３１を固定させ、かつ外部からの機械的衝撃に対して緩衝機能を有し、発光層４０やガスバリア層１９の保護をするものである。シール層２２は、例えばウレタン系、アクリル系、エポキシ系、ポリオレフィン系などの樹脂で、封止基板３１より柔軟でガラス転移点の低い材料からなる接着剤によって形成されている。
【００３３】
封止基板３１は、上述した素子基板２０Ａに対向配置されている。封止基板３１は、その上面が発光光を取り出す表示面として機能するため、ガラスまたは透明プラスチック（ポリエチレンテレフタレート、アクリル樹脂、ポリカーボネ―ト、ポリオレフィン等）などの光透過性を有する材料で構成されている。
【００３４】
封止基板３１の下面には、赤色着色層３７Ｒ、緑色着色層３７Ｇ、青色着色層３７Ｂがマトリクス状に配列形成されたカラーフィルタ３７が構成されている。各着色層３７Ｒ，３７Ｇ，３７Ｂは、透明バインダー層に顔料または染料が混合して構成された層で、顔料を選択することにより目的とする赤（Ｒ）、緑（Ｇ）あるいは青（Ｂ）に調整されている。なお、着色層３７Ｒ，３７Ｇ，３７Ｂは、各色のカラーレジストをパターニングして形成してもよい。また、着色層３７Ｒ，３７Ｇ，３７Ｂの色は目的に応じてライトブルーやライトシアン、白などを加えてもよい。
着色層３７Ｒ，３７Ｇ，３７Ｂの各々は、発光素子２１の陽極１０に対向して配置されている。これにより、発光層４０から射出された光のうち、各色の波長に対応した光（例えば、赤色光は波長６１０ｎｍ、緑色光は波長５３０ｎｍ、青色光は波長４７０ｎｍ）のみが着色層３７の各々を透過し、各色光として観察者側に射出されるようになっている。このように着色層３７Ｒ，３７Ｇ，３７Ｂを透過した光のみが取り出されるため、より色再現性のよい有機ＥＬ装置１を提供することができる。
【００３５】
着色層３７Ｒ，３７Ｇ，３７Ｂの領域の間には、ブラックマトリクス層３２が形成されている。このブラックマトリクス層３２は、着色層３７を区分して非発光部分として構成しており、隣接する画素領域ＸＲ，ＸＧ、ＸＢ間の光漏れを防止するものである。ブラックマトリクス層３２の構成材料としては、カーボンブラック等の顔料が混入された樹脂からなる遮光層である。なお、このブラックマトリクス層３２には、フッ素樹脂等の撥液性を有する樹脂を混合させてもよい。
【００３６】
図４は、図３のＡ部拡大図である。なお、図４においては、説明を分かり易くするため陰極１１より上層を省略する。
ところで、図３，４に示すように、上述した発光層４０は、上述した半透過反射機能を有する陰極１１と金属反射板１５との間に挟持されており、これら陰極１１と金属反射板１５との間で、発光層４０から射出された光を共振させる光共振構造が形成されている。この構成によれば、発光層４０から射出された光は、金属反射板１５と陰極１１との間で往復し、その光学的距離に対応した共振波長の光だけが増幅されて取り出される（図４中矢印参照）。このため、発光輝度が高く、スペクトルもシャープな光を取り出すことができる。
【００３７】
ここで、各発光素子２１の共振波長は、金属反射板１５と陰極１１との間の光学的距離、つまり金属反射板１５と陰極１１との間に形成された各層（例えば、有機機能層１２、陽極１０）の膜厚と屈折率とのそれぞれの積の総和によって求められる。本実施形態では、各画素領域ＸＲ，ＸＧ、ＸＢの金属反射板１５と陰極１１との間の光共振器構造における光学的距離を調整することで、各画素領域ＸＲ，ＸＧ、ＸＢの共振波長を異ならせている。つまり、光共振器構造における共振波長の異なる複数の発光素子２１が含まれているため、白色光を発光する発光層４０からそれぞれ異なった色（赤色光、緑色光、青色光）が取り出されるようになっている。
【００３８】
これらの共振波長は、本実施形態の場合、発光素子２１の陽極１０の膜厚によって調節されている。具体的には、各画素領域ＸＲ，ＸＧ、ＸＢにおける陽極１０の膜厚は、共振波長が最も大きくなる画素領域ＸＲの陽極１０Ｒが最大となり、その次に、画素領域ＸＧの陽極１０Ｇ、画素領域ＸＢの陽極１０Ｂの順で膜厚が薄くなっている。また、光学的距離は通常、表示面（封止基板３１の表面）を正面から見た場合、つまり視野角０°の時に各色を発光する発光素子２１が最適な共振波長の条件となるように設定されている。具体的には、光学的距離をＬ’、発光層４０で発光した光が陽極１０または陰極１１で反射する際に生じる位相シフトをΦ（例えば、−３／２π（ｒａｄ））、発光層４０から射出される光のうち取り出したい光のスペクトルのピーク波長をλとすると、２Ｌ’＝λ（ｍ−Φ／２π）（ｍは整数）となる。なお、上述した視野角とは、視覚方向と封止基板３１の表示面の法線とのなす角度とする。
【００３９】
しかしながら、図１０に示すように、上記従来技術にあっては、赤色光Ｒ、緑色光Ｇ、青色光Ｂの各色ともに視野角０°の位置で発光輝度が最大となるように光学的距離が最適化されており、視野角０°において、表示面から最適な白色光Ｗが射出されるようになっている。そして、視野角が大きくなるにつれ、各色Ｒ，Ｇ，Ｂともに発光輝度が減衰している。つまり、視野角が大きくなるにつれ、光学的距離が最適な共振波長の条件からずれて長くなり、各画素領域ＸＲ，ＸＧ、ＸＢから取り出したい光が最適な共振波長の条件で射出されなくなる。これにより、取り出される光のスペクトルのピーク波長が低波長側にシフトする。
また図１１に示すように、上記従来技術にあっては、赤色光、緑色光、青色光の各色ともに視野角０°の位置（図１１中符号Ｒ１’，Ｇ１’，Ｂ１’）において、最適な色度で射出されるように設定され、白色光（図１１中符号Ｗ１’）が表示されるようになっている。しかしながら、上述したように視野角が大きくなるにつれ、各色のピーク波長が最適な共振波長の条件からずれて低波長側にシフトすると（図１１中符号Ｒ２’，Ｇ２’，Ｂ２’）、これに伴い全体的な色ずれが生じるという問題がある。つまり、視野角０°の位置では白色光が表示されるのに対して、視野角が大きくなるにつれて青色側（低波長側）にシフトし、表示が青く見えてしまう（図１１中符号Ｗ２’）。
【００４０】
そこで、本実施形態では、発光層４０から射出される光のうち、赤色着色層３７Ｒを透過する光、つまり画素領域ＸＲの素子基板２０Ａの法線方向における金属反射板１５と陰極１１との間の光学的距離Ｌ（図４参照）が、上述した最適な共振波長の条件よりも長くなるように設定されている（Ｌ＞λ（ｍ−Φ／２π）／２）。具体的には、画素領域ＸＲの視野角０°における光学的距離Ｌの共振波長の条件として、６２０ｎｍ〜６６０ｎｍ、好ましくは６２０ｎｍ〜６３０ｎｍのピーク波長が取り出せるように設定されていることが好ましい。
【００４１】
光学的距離Ｌの設定方法として、画素領域ＸＲの発光素子２１の膜厚を、最適な共振波長の条件が得られる膜厚に比べ厚く形成する。膜厚の調整は、画素領域ＸＲの発光素子２１のうち陽極１０Ｒの膜厚によって調整することが好ましい。陽極１０は各画素領域ＸＲ，ＸＧ，ＸＢ毎に形成されているため、陽極１０の膜厚を調整して光学的距離を長くすることで、画素領域ＸＲの発光素子２１に対応する陽極１０Ｒのみを容易に調整することができ、製造効率を維持することができる。
【００４２】
図５〜７は視野角を０°〜８０°まで変化させた場合のスペクトルのピーク波長を各色毎に示すグラフであり、図５は青色光、図６は緑色光、図７は赤色光を示している。
図５，６に示すように、緑色光、青色光の発光素子２１（図４参照）にあっては、視野角０°において、取り出したい光のピーク波長が最大（例えば、緑色光では波長５３０ｎｍ、青色光では波長４７０ｎｍ）となっている。そして、視野角２０°〜８０°に大きくなるにつれ、ピーク波長が取り出したい光の最適な共振波長の条件から低波長側にシフトしている。
【００４３】
一方、図７に示すように、画素領域ＸＲの発光素子２１（図４参照）にあっては、視野角０°においては、ピーク波長が６２０ｎｍ程度となっており、取り出したい光のピーク波長（例えば、波長６１０ｎｍ）より長くなっている。そして、視野角が大きくなってピーク波長が低波長側にシフトすることで、視野角２０°の時に取り出したい光のピーク波長が最大となるように設定されている。つまり、画素領域ＸＲの発光素子２１の光学的距離Ｌが、最適な共振波長の条件より長くなるように設定されているため、画素領域ＸＲの発光素子２１は表示面を斜め方向から見た場合に取り出したい光の最適な共振波長の条件で射出されるようになっている。つまり、赤色光は、緑色光、青色光に比べて、取り出したい光の最適な共振波長の条件から低波長側へシフトするシフト量が小さい。
【００４４】
図８は、本実施形態における発光輝度の視野角特性を示すグラフである。
図８に示すように、緑色光Ｇ、青色光Ｂにあっては、視野角０°の位置で取り出したい光のピーク波長の発光輝度が最大となるように光学的距離が最適化されており、視野角が大きくなるにつれて発光輝度が減衰している。
これに対して、赤色光Ｒにあっては、視野角０°から視野角が大きくなるにつれ、発光輝度が一旦増加した後に減衰するようになっている。具体的には、視野角２０°の時に取り出したい光のピーク波長の発光輝度が最大となり、さらに視野角が大きくなるにつれ発光輝度が減衰している。つまり、赤色光Ｒは、緑色光Ｇ、青色光Ｂに比べて発光輝度の減衰が遅くなっている。これに伴い、白色光Ｗは、緑色光Ｇ、青色光Ｂに比べ発光輝度の減衰が遅くなっている。
【００４５】
図９は、本実施形態における色度の視野角特性を示す色度図であり、図中実線は、視野角が０°〜８０°まで変化した場合におけるスペクトルのピーク波長の変化を示している。
図９に示すように、視野角０°における各色の色度は赤色光がＲ１、緑色光がＧ１、青色光がＢ１となっており、視野角が大きくなるにつれ赤色光がＲ２、緑色光がＧ２、青色光がＢ２に向かって低波長側へシフトしている。この時、赤色光を発光する発光素子２１は、緑色光の発光素子２１及び青色光の発光素子２１に比べ、取り出したい光の最適な共振波長の条件から低波長側へのシフト量が小さい（図９中Ｒ１→Ｒ２）。そのため、赤色光より波長の短い青色光及び緑色光が低波長側にシフトしても、赤色光によって青色光及び緑色光の色ずれを補うことになる。つまり、赤色光は、視野角が大きくなるにつれ取り出したい光のピーク波長を迎えるため、視野角が大きくなり青色光及び緑色光の低波長側へシフト（図９中Ｇ１→Ｇ２，Ｂ１→Ｂ２）するのに対して、赤色光が引っ張るようになる。これにより、白色光が青色側（低波長側）へシフトすることを抑制して、白色光のシフト量をＷ１からＷ２の範囲内に抑えることができる。したがって、視野角の違いによって生じる全体的な色ずれを抑制することができる。
【００４６】
このように本実施形態によれば、画素領域ＸＲの発光素子２１の視野角０°における金属反射板１５と陰極１１との間の光学的距離Ｌを、最適な共振波長の条件より長くなるように設定することで、画素領域ＸＲの発光素子２１から発光された光は表示面の正面からずれた位置、つまり表示面を斜め方向から見た場合に最適な共振波長の条件で射出される。これにより、表示面を斜め方向から見た場合において、画素領域ＸＲの発光素子２１は画素領域ＸＧの発光素子２１及び画素領域ＸＢの発光素子２１に比べて、最適な共振波長の条件から低波長側へシフトするシフト量が小さい。そのため、赤色光によって、緑色光及び青色光の色ずれを補うことになり、全体的な色ずれを抑制することができる。したがって、視野角の違いにより発生する色ずれを抑制することができる。
【００４７】
（電子機器）
次に、本発明の電子機器について説明する。
電子機器は、上述した有機ＥＬ装置１を表示部として有したものであり、具体的には図１２に示すものが挙げられる。
図１２（ａ）は、携帯電話の一例を示した斜視図である。図１２（ａ）において、携帯電話１０００は、上述した有機ＥＬ装置１を用いた表示部１００１を備える。
図１２（ｂ）は、腕時計型電子機器の一例を示した斜視図である。図１２（ｂ）において、時計（電子機器）１１００は、上述した有機ＥＬ装置１を用いた表示部１１０１を備える。
図１２（ｃ）は、ワープロ、パソコンなどの携帯型情報処理装置の一例を示した斜視図である。図１２（ｃ）において、情報処理装置１２００は、キーボードなどの入力部１２０２、上述した有機ＥＬ装置１を用いた表示部１２０６、情報処理装置本体（筐体）１２０４を備える。
図１２（ｄ）は、薄型大画面テレビの一例を示した斜視図である。図１２（ｄ）において、薄型大画面テレビ１３００は、薄型大画面テレビ本体（筐体）１３０２、スピーカーなどの音声出力部１３０４、上述した有機ＥＬ装置１を用いた表示部１３０６を備える。
【００４８】
図１２（ａ）〜（ｄ）に示すそれぞれの電子機器は、上述した有機ＥＬ装置１を有した表示部１００１，１１０１，１２０６，１３０６を備えているので、表示部における視野角の違いによって発生する色ずれを抑制することが図られたものとなる。
【００４９】
また、有機ＥＬ装置１を表示部として備える場合に限らず、発光部として備える電子機器であってもよい。例えば、有機ＥＬ装置１を露光ヘッド（ラインヘッド）として備えるページプリンタ（画像形成装置）であってもよい。
【００５０】
なお、本発明の技術範囲は、上述した実施形態に限定されるものではなく、本発明の趣旨を逸脱しない範囲において、上述した実施形態に種々の変更を加えたものを含む。例えば、上述した正孔注入・輸送層あるいは発光層のインク組成物は、低分子、高分子、デンドリマー等の分子形態に関係なく、また発光層の形成材料は、例えば蛍光、燐光材料ともに有効である。
また、本実施形態において、光学的距離の設定方法として、赤色光の陽極の膜厚を厚く形成する場合について説明したが、有機機能層の膜厚を厚く形成してもよい。
また、有機機能層や陽極の構成材料を変化させて屈折率を調整することで、光学的距離を調整することも可能である。
【００５１】
さらに、本実施形態においては、赤色光の光学的距離のみが最適な共振波長の条件より長くなるように設定したが、赤色光の他に緑色光の光学的距離を最適な共振波長の条件より長くなるように設定することも可能である。この時、視野角０°における色ずれを発生させないために、視野角０°における緑色光のピーク波長を５ｎｍ程度長くすることが好ましい。
また、本実施形態においては、白色発光層から射出される白色光を、着色層を透過させることで、赤色光、緑色光、青色光を射出させる場合について説明したが、各画素隔壁間（画素領域）に赤色発光層、緑色発光層、青色発光層をそれぞれ形成する構成も可能である。
また、光共振器構造を採用した有機ＥＬ装置にあっては、赤色光，緑色光，青色光の各色に対応する共振波長を有する発光素子を形成することで、フルカラー表示が可能なため、上述したカラーフィルタを設けない構成としてもよい。
【図面の簡単な説明】
【００５２】
【図１】本発明の実施形態における有機ＥＬ装置の配線構造を示す図である。
【図２】有機ＥＬ装置の構成を示す模式図である。
【図３】有機ＥＬ装置を模式的に示す断面図である。
【図４】図３のＡ部拡大図である。
【図５】青色光の波長のスペクトルを示すグラフである。
【図６】緑色光の波長のスペクトルを示すグラフである。
【図７】赤色光の波長のスペクトルを示すグラフである。
【図８】発光輝度の視野角特性を示すグラフである。
【図９】色度の視野角特性を示す色度図である。
【図１０】従来における発光輝度の視野角特性を示すグラフである。
【図１１】従来における色度の視野角特性を示す色度図である。
【図１２】本発明の実施形態に係る電子機器を示す図である。
【符号の説明】
【００５３】
１…有機ＥＬ装置（発光装置）１０…陽極（第１電極）  １１…陰極（第２電極）  １５…金属反射板（光反射層）  ２１…発光素子  ４０…発光層  １０００…携帯電話（電子機器）、１１００…時計（電子機器）、１２００…情報処理装置（電子機器）、１３００…薄型大画面テレビ（電子機器）、１００１，１１０１，１２０６，１３０６…表示部（発光装置）  
【図１】
2009170127.tif 000003
【図２】
2009170127.tif 000004
【図３】
2009170127.tif 000005
【図４】
2009170127.tif 000006
【図５】
2009170127.tif 000007
【図６】
2009170127.tif 000008
【図７】
2009170127.tif 000009
【図８】
2009170127.tif 000010
【図９】
2009170127.tif 000011
【図１０】
2009170127.tif 000012
【図１１】
2009170127.tif 000013
【図１２】
2009170127.tif 000014